(57)【要約】【課題】以前の洗濯動作の影響を受けることなく、繊細な繊維を良好に洗濯できる洗濯機及びその制御方法を提供する。  また、ドラムの内部温度が高くなったとき、適切な条件で繊細な繊維の洗濯を行える洗濯機及びその制御方法を提供する。【解決手段】気流を発生して洗濯物を乾燥するための乾燥装置５０を備えた洗濯機において、洗濯空間を形成するドラム３０と;洗濯水の温度を感知するための第１温度センサ２３と;前記ドラム３０の内部温度を感知するための第２温度センサ６２と;前記ドラム３０の内部温度及び前記洗濯水の温度に基づいて、繊細な繊維を洗濯するための洗濯条件を満足するかどうかを判断し、その結果、洗濯条件を満足していないと判断される場合、前記乾燥装置５０の制御によって洗濯条件を満足させた後、繊細な繊維の洗濯動作を行う制御部６３と；を含んで洗濯機を構成する。【選択図】図６
2007195943.tif 000002
【特許請求の範囲】
【請求項１】
気流を発生して洗濯物を乾燥するための乾燥装置を備えた洗濯機において、
洗濯空間を形成するドラムと;
洗濯水の温度を感知するための第１温度センサと;
前記ドラムの内部温度を感知するための第２温度センサと;
前記ドラムの内部温度及び前記洗濯水の温度に基づいて、繊細な繊維を洗濯するための洗濯条件を満足するかどうかを判断し、その結果、洗濯条件を満足していないと判断される場合、前記乾燥装置の制御によって洗濯条件を満足させた後、繊細な繊維の洗濯動作を行う制御部と；
を含むことを特徴とする洗濯機。
【請求項２】
前記制御部は、前記ドラムの内部温度と前記洗濯水の温度との差が設定温度以下である場合、洗濯条件を満足していると判断することを特徴とする請求項１に記載の洗濯機。
【請求項３】
前記制御部は、前記洗濯条件の判断時、前記ドラムの内部温度が基準温度より高い場合、前記ドラムの内部温度を低下させる冷却動作を行うことを特徴とする請求項２に記載の洗濯機。
【請求項４】
前記乾燥装置は、気流を発生するための送風ファンと、気流をドラムの内部に案内するダクトと、前記ドラムの内部から排出される空気を前記ダクトに供給するための流路と、前記流路に冷却水を噴射するための冷却水噴射装置と、を備えており、
前記冷却動作が要求されると、前記制御部は、前記送風ファンを稼動し、前記冷却水噴射装置を通して冷却水を供給することを特徴とする請求項３に記載の洗濯機。
【請求項５】
前記制御部は、冷却動作を設定時間の間行うためのカウンターを備えることを特徴とする請求項３に記載の洗濯機。
【請求項６】
前記制御部は、前記冷却動作によって前記洗濯条件が満足された場合、前記繊細な繊維の洗濯動作を行うことを特徴とする請求項３に記載の洗濯機。
【請求項７】
前記洗濯水を加熱するための加熱ヒーターをさらに備えており、前記制御部は、前記冷却動作によって前記洗濯条件が満足されない場合、洗濯水が加熱ヒーターによって加熱されるように加熱ヒーターを制御することを特徴とする請求項３に記載の洗濯機。
【請求項８】
前記制御部は、前記ドラムの内部温度と洗濯水の温度との差が設定温度以下である場合、前記繊細な繊維の洗濯動作を行うことを特徴とする請求項７に記載の洗濯機。
【請求項９】
前記繊細な繊維は、ウール及びシルクを含むことを特徴とする請求項１に記載の洗濯機。
【請求項１０】
気流を発生して洗濯物を乾燥するための乾燥装置を備えた洗濯機の制御方法において、
繊細な繊維を洗濯するための洗濯コースを選択する段階と、
洗濯空間が形成されたドラムの内部温度及び洗濯水の温度を感知する段階と、
繊細な繊維に対する洗濯条件を満足するかどうかを判断する段階と、
前記洗濯条件を満足していないと判断される場合、洗濯条件を満足させた後で前記繊細な繊維の洗濯動作を行うように、前記乾燥装置を制御する段階と、を含むことを特徴とする洗濯機の制御方法。
【請求項１１】
前記洗濯条件の判断時、前記ドラムの内部温度が基準温度より高い場合、前記乾燥装置によって発生する気流を前記ドラムの内部に循環させることで、前記ドラムの内部温度を低下させる冷却動作を設定時間の間行うことを特徴とする請求項１０に記載の洗濯機の制御方法。
【請求項１２】
前記基準温度は、３５℃であることを特徴とする請求項１１に記載の洗濯機の制御方法。
【請求項１３】
前記ドラムの内部温度と前記洗濯水の温度との差が設定温度以下である場合、前記洗濯条件を満足していると判断することを特徴とする請求項１０に記載の洗濯機の制御方法。
【請求項１４】
前記設定温度は、２℃であることを特徴とする請求項１３に記載の洗濯機の制御方法。
【請求項１５】
前記冷却動作を行う途中で前記洗濯条件を満足している場合、繊細な繊維の洗濯動作を行うことを特徴とする請求項１１に記載の洗濯機の制御方法。
【請求項１６】
前記冷却動作を行った後にも前記洗濯条件を満足していない場合、予備洗濯水を給水して加熱することを特徴とする請求項１５に記載の洗濯機の制御方法。
【請求項１７】
前記予備洗濯水は、前記洗濯水を加熱するためのヒーターを浸す程度のヒーター安全水位に給水することを特徴とする請求項１６に記載の洗濯機の制御方法。
【請求項１８】
前記加熱された洗濯水の温度及びドラムの内部温度に基づいて洗濯条件を満足するかどうかを判断し、その洗濯条件を満足している場合、繊細な繊維の洗濯動作を行うことを特徴とする請求項１６に記載の洗濯機の制御方法。
【請求項１９】
気流を発生して洗濯物を乾燥するための乾燥装置を備えたドラム洗濯機の繊細な繊維の洗濯方法において、
繊細な繊維コースを選択する段階と、
ドラムの内部温度を感知する段階と、
前記ドラムの内部温度が基準温度以上である場合、前記ドラム内部の冷風を循環させる段階と、
洗濯水を前記ドラムに所定の最小水位だけ供給する段階と、
洗濯水の温度を感知する段階と、
前記ドラムの内部温度と洗濯水の温度との差を計算する段階と、
前記ドラムと洗濯水との温度差が所定の温度差以下である場合、繊細な繊維を洗濯する段階と、を含むことを特徴とする洗濯機の制御方法。
【請求項２０】
前記ドラムと洗濯水との温度差が所定の温度差以上である場合、温水を前記ドラムに供給する段階と、
前記ドラムの内部温度と洗濯水の温度との差を計算する段階と、
前記ドラムと洗濯水との差が所定の温度差以下である場合、繊細な繊維を洗濯する段階と、を含むことを特徴とする請求項１９に記載の洗濯機の制御方法。
【発明の詳細な説明】
【技術分野】
【０００１】
本発明は、ウール、シルクなどの繊細な繊維を洗濯するための洗濯機及びその制御方法に関するものである。
【背景技術】
【０００２】
ドラム洗濯機は、水平に配置されたドラムが時計方向及び反時計方向に交互に回転することで、洗濯水と一緒に洗濯物をドラムの内周面に沿って上下方向に運動させて洗濯物を洗濯する。
【０００３】
一般に、ドラム洗濯機は、乾燥機能を兼ね備えている。このように乾燥機能を有するドラム洗濯機には、空気を加熱するための電気ヒーターと、加熱された空気を循環させるためのダクトと、が備わる。かかるドラム洗濯機は、特許文献１（２００５年１０月２５日に公開）に開示されている。
【０００４】
従来の洗濯機としては、ヒーターによって加熱された洗濯水を用いて洗濯するものが開発された。
【０００５】
また、洗濯力を高めるために洗濯槽の内部に高温の蒸気を供給することで、短時間内に高温に加熱された洗濯水を用いて洗濯するドラム洗濯機は、特許文献２（２００４年１０月８日に公開）に開示されている。
【０００６】
電気ヒーターを用いて洗濯物を乾燥する機能、洗濯水の温度を上昇するために洗濯水を加熱する機能、及び高温の蒸気を供給する機能のうち少なくとも一つを備えた洗濯機においては、一回の洗濯運転を終了した後にもドラムの内部温度が相当に高くなっている。それゆえ、ドラムの内部温度が外気の温度と類似した状態になるまで、長い冷却時間が要求される。
【０００７】
しかしながら、既存の洗濯機においては、以前の洗濯運転を完了した後、ドラムの内部温度を考慮していない。
【０００８】
図１に示すように、既存の洗濯機でウール繊維を洗濯する場合、洗濯物をドラムの内部に投入した状態で、洗濯機の本体に設けられる入力部を通して使用者がウールコースを選択すると（１）、ドラムを回転して洗濯物の重さを感知し（２）、洗濯物の重さを考慮して洗濯水をドラムに給水し（３）、ドラムを回転してドラム内部の洗濯物を洗濯する（４）。
【０００９】
上記のように、既存の洗濯機においては、以前の洗濯運転を完了した直後にドラムの内部温度が上昇しているにもかかわらず、ドラムの内部温度を考慮していない。そのため、ドラムの内部温度が高い状態で、ウール、シルクなどの繊細な繊維をドラムに投入した直後に外部から洗濯水をドラムに供給すると、ドラム内部の高温の空気によって加熱された繊細な繊維が冷たい洗濯水と接触することになり、この状態でドラムの回転により繊細な繊維が機械的に洗濯されると、繊細な繊維の収縮または変形が発生する。このような繊細な繊維の収縮及び変形によって繊維のサイズ及び特性にも変化が起こるので、既存の洗濯機においては、ウール、シルクなどの繊細な繊維を洗濯する動作に制約があった。
【００１０】
最近、衣服のしわを伸ばすための乾燥機能を洗濯機に適用することにより、乾燥機能を使用する頻度が増加している。上述した乾燥機能を行った後にウール繊維を洗濯する場合、ドラムの内部温度が充分に低下するまで所定の待機時間が経過した後、ウール繊維の洗濯運転を行うべきである。しかしながら、一般の消費者にとって洗濯動作の留意事項を遵守することは困難であり、一般の消費者は、自身の経験に依存して、以前の洗濯動作の完了後に新しい洗濯動作を行う時期を決定しているので、ウール繊維の洗濯が不適切な条件で行われるようになり、このような問題点を解決するための対策が要求されている。
【特許文献１】大韓民国公開特許第２００５-１０１７８８号
【特許文献２】大韓民国公開特許公報１０-２００４-８５５０７号
【発明の開示】
【発明が解決しようとする課題】
【００１１】
本発明は上記の問題点を解決するためになされたもので、その目的は、以前の洗濯動作の影響を受けることなく、繊細な繊維を良好に洗濯できる洗濯機及びその制御方法を提供することにある。
【００１２】
また、本発明の他の目的は、ドラムの内部温度が高くなったとき、適切な条件で繊細な繊維の洗濯を行える洗濯機及びその制御方法を提供することにある。
【課題を解決するための手段】
【００１３】
上記の目的を達成するための本発明は、気流を発生して洗濯物を乾燥するための乾燥装置を備えた洗濯機において、洗濯空間を形成するドラムと;洗濯水の温度を感知するための第１温度センサと;前記ドラムの内部温度を感知するための第２温度センサと;前記ドラムの内部温度及び前記洗濯水の温度に基づいて、繊細な繊維を洗濯するための洗濯条件を満足するかどうかを判断し、その結果、洗濯条件を満足していないと判断される場合、前記乾燥装置の制御によって洗濯条件を満足させた後、繊細な繊維の洗濯動作を行う制御部と；を含むことを特徴とする。
【００１４】
前記制御部は、前記ドラムの内部温度と前記洗濯水の温度との差が設定温度以下である場合、洗濯条件を満足していると判断する。
【００１５】
前記制御部は、前記洗濯条件の判断時、前記ドラムの内部温度が基準温度より高い場合、前記ドラムの内部温度を低下させる冷却動作を行う。
【００１６】
前記乾燥装置は、気流を発生するための送風ファンと、気流をドラムの内部に案内するダクトと、前記ドラムの内部から排出される空気を前記ダクトに供給するための流路と、前記流路に冷却水を噴射するための冷却水噴射装置と、を備えており、前記冷却動作が要求されると、前記制御部は、前記送風ファンを稼動し、前記冷却水噴射装置を通して冷却水を供給する。
【００１７】
前記制御部は、冷却動作を設定時間の間行うためのカウンターを備える。
【００１８】
前記制御部は、前記冷却動作によって前記洗濯条件が満足された場合、前記繊細な繊維の洗濯動作を行う。
【００１９】
前記洗濯水を加熱するための加熱ヒーターをさらに備えており、前記制御部は、前記冷却動作によって前記洗濯条件が満足されない場合、洗濯水が加熱ヒーターによって加熱されるように加熱ヒーターを制御する。
【００２０】
前記制御部は、前記ドラムの内部温度と洗濯水の温度との差が設定温度以下である場合、前記繊細な繊維の洗濯動作を行う。
【００２１】
前記繊細な繊維は、ウール及びシルクを含む。
【００２２】
上記の目的を達成するための本発明は、気流を発生して洗濯物を乾燥するための乾燥装置を備えた洗濯機の制御方法において、繊細な繊維を洗濯するための洗濯コースを選択する段階と、洗濯空間が形成されたドラムの内部温度及び洗濯水の温度を感知する段階と、繊細な繊維に対する洗濯条件を満足するかどうかを判断する段階と、前記洗濯条件を満足していないと判断される場合、洗濯条件を満足させた後で前記繊細な繊維の洗濯動作を行うように、前記乾燥装置を制御する段階と、を含む。
【００２３】
前記洗濯条件の判断時、前記ドラムの内部温度が基準温度より高い場合、前記乾燥装置によって発生する気流を前記ドラムの内部に循環させることで、前記ドラムの内部温度を低下させる冷却動作を設定時間の間行う。
【００２４】
前記基準温度は、３５℃である。
【００２５】
前記ドラムの内部温度と前記洗濯水の温度との差が設定温度以下である場合、前記洗濯条件を満足していると判断する。
【００２６】
前記設定温度は、２℃である。
【００２７】
前記冷却動作を行う途中で前記洗濯条件を満足している場合、繊細な繊維の洗濯動作を行う。
【００２８】
前記冷却動作を行った後にも前記洗濯条件を満足していない場合、予備洗濯水を給水して加熱する。
【００２９】
前記予備洗濯水は、前記洗濯水を加熱するためのヒーターを浸す程度のヒーター安全水位に給水する。
【００３０】
前記加熱された洗濯水の温度及びドラムの内部温度に基づいて洗濯条件を満足するかどうかを判断し、その洗濯条件を満足している場合、繊細な繊維の洗濯動作を行う。
【発明の効果】
【００３１】
本発明に係る洗濯機は、以前の洗濯動作で行われる乾燥機能によってドラムの内部温度が高くなり、ウール、シルクなどの繊細な繊維を洗濯するのに不適切である場合、ドラムの内部温度を低下させるための冷却動作を行うことで、ドラムの内部温度と洗濯水の温度との差を設定温度以下にするとともに、冷却動作を行った後にも洗濯条件を満足していない場合、予備洗濯水を給水して加熱することで、洗濯条件を満足させる。よって、本発明に係る洗濯機は、繊細な繊維に対する洗濯条件を満足する場合のみに洗濯動作を行うので、収縮及び変形による繊細な繊維の損傷を防止できる。
【発明を実施するための最良の形態】
【００３２】
以下、本発明の好ましい実施の形態を図面に基づいて説明する。
【００３３】
図２に示すように、本発明に係る洗濯機は、外観をなす本体１０と、この本体１０の内部に設置されて洗濯水を貯水する水槽２０と、この水槽２０の内部に回転可能に設置されて洗濯物を収容するドラム３０と、を備えている。本体１０の前面には、洗濯物を投入するための開口部を開閉するドア１１がヒンジ結合される。
【００３４】
本体１０の内側上部には、水槽２０に洗濯水を供給する第１及び第２給水管１２ａ，１２ｂと、水槽２０に洗剤を供給する洗剤供給装置１３と、が設置される。第１給水管１２ａは温水を供給し、第２給水管１２ｂは冷水を供給する。第１及び第２給水管１２ａ，１２ｂには、これら第１及び第２給水管１２ａ，１２ｂを通した給水を制御するための第１及び第２給水バルブ１６，１７が設置される。ここで、第１給水バルブ１６は、開閉バルブからなり、第２給水バルブ１７は、洗剤供給装置１３または連結管５５から選択的に冷水を供給する電動式三方バルブからなる。
【００３５】
水槽２０の底部には、洗濯水を加熱するための加熱ヒーター２２と、洗濯水の温度を感知するための第１温度センサ２３と、が設置される。
【００３６】
本体１０の内側下部には、水槽２０に貯水された洗濯水を本体１０の外部に排出するための排水ポンプモーター１４及び排水管１５が設置される。
【００３７】
水槽２０の後面を形成する後面板２１の外側には、ドラム３０を正方向または逆方向に回転させるための洗濯モーター４０が設置され、ドラム３０と洗濯モーター４０との間には、洗濯モーター４０の回転力をドラム３０に伝達するための回転軸４１が設置される。
【００３８】
また、本発明に係るドラム洗濯機は、ドラム３０に温風を供給することで、ドラム３０に収容された洗濯物を乾燥するための乾燥装置５０をさらに含んでいる。図２に示すように、乾燥装置５０は、送風ファン５１、ファンモーター５１ａ、乾燥ヒーター５２、ヒーティングダクト５３及び凝縮流路５４を含んで構成される。
【００３９】
送風ファン５１は、水槽２０の上部に設置されて空気の循環のための駆動力を提供し、ヒーティングダクト５３は、送風ファン５１の吐出側とドラム３０の前面開口部とを連結し、送風ファン５１によって発生した気流をドラム３０の内部に案内する。ヒーティングダクト５３の内部には、効果的な洗濯物の乾燥のために空気を加熱する乾燥ヒーター５２が装着される。凝縮流路５４は、洗濯物の乾燥を終了した後、ドラム３０から排出される空気中の湿気を除去するもので、一端はドラム３０の後面側に連結され、他端は送風ファン５１の吸入側に連結される。
【００４０】
図３に示すように、水槽２０の後面板２１には、凝縮流路５４を形成するために、後面板２１に向かって所定深さだけ凹んだ流路形成部２１ａが備わる。凝縮流路５４の内部には、凝縮流路５４を通過する空気を冷却するための冷却水を噴射する冷却水噴射装置５６が設置され、この冷却水噴射装置５６は、連結管５５を通して第２給水バルブ１７に連結される。
【００４１】
また、図２に示していないが、本発明に係る洗濯機は、水槽２０の内部に設置され、洗濯水の水位を感知するための水位センサ６１と、ドラム３０の内部温度を感知するための第２温度センサ６２と、をさらに含んでいる。
【００４２】
また、本発明に係る洗濯機は、繊細な繊維の洗濯動作を含む全般的な動作を制御するための制御部をさらに含んでおり、以下、この制御部に関して図４に基づいて説明する。
【００４３】
制御部６３の入力側には、使用者の設定命令を入力するための入力部６０と、洗濯水の水位を感知するための水位センサ６１と、洗濯水の温度を感知するための第１温度センサ２３と、ドラム３０の内部温度を感知するための第２温度センサ６２と、が電気的に連結される。
【００４４】
また、制御部６３の出力側には、第１給水バルブ１６及び第２給水バルブ１７の動作を制御するためのバルブ駆動部６４と、加熱ヒーター２２及び乾燥ヒーター５２の動作を制御するためのヒーター駆動部６５と、洗濯モーター４０、排水ポンプモーター１４及びファンモーター５１ａの動作を制御するためのモーター駆動部６６と、が電気的に連結される。
【００４５】
また、制御部６３は、冷却時間を測定するためのカウンター６３-１を含んでいる。
【００４６】
ウールなどの繊細な繊維を洗濯するためのウールコースを選択した場合、制御部６３は、収縮及び損傷なしにウール繊維を洗濯するための洗濯条件を満足するかどうかを判断し、洗濯条件を満足していないと判断される場合、ウール繊維の洗濯に適した洗濯条件をリセットする。すなわち、制御部６３は、ウール繊維を洗濯するための洗濯条件を満足するときのみに繊細な繊維を洗濯できるようにする。
【００４７】
制御部６３は、ドラム３０の内部温度と洗濯水の温度との差が大きくない場合、ウール繊維を洗濯するための洗濯条件が設定されたと判断する。このとき、洗濯水の温度を感知するための給水動作が要求されるが、図５に示すように、第１温度センサ２３を浸す程度の最小水位に給水する。
【００４８】
ドラムの内部温度が非常に高くなり、ウール繊維の洗濯条件を満足するのに適していない場合、制御部６３は、乾燥ヒーター５２をオフにして送風ファン５１を駆動する。その後、制御部６３は、ドラム３０内部の送風ファン５１から発生する気流を循環させ、ドラム３０の内部温度を低下させる冷却動作を行う。
【００４９】
その後、制御部６３は、第１温度センサ２３を用いて洗濯水の温度を感知し、第２温度センサ６２を用いてドラム３０の内部温度を感知する。その後、制御部６３は、感知された各温度の差が設定範囲内にあるかどうかを判断し、その結果、感知された各温度の差が設定範囲内にないと判断される場合、洗濯水を高温に加熱してドラム３０の内部温度と洗濯水の温度との差を減少させる。このとき、洗濯水を加熱するために給水された水は、予備洗濯水であり、適当量の予備洗濯水は、繊細な繊維を洗濯するための本洗濯水の給水に先立って供給される。ここで、予備洗濯水は、図５に示すように、加熱ヒーター２２を浸す程度のヒーター安全水位に給水する。
【００５０】
一方、感知された各温度の差が設定範囲内にあると判断される場合、ウール繊維の洗濯を行う。
【００５１】
以下、上記のような本発明に係る洗濯機の動作を説明する。
【００５２】
図６に示すように、ウール繊維を洗濯機のドラム３０内に投入し、使用者は、本体１０に設けられる入力部６０を通してウールコースを選択する（１０１）。
【００５３】
次いで、制御部６３は、第２温度センサ６２を通してドラム３０の内部温度を感知し（１０３）、そのドラム３０の内部温度が設定温度Ｔｒ（例えば３５℃）より高いかどうかを判断する（１０５）。その結果、ドラム３０の内部温度が設定温度Ｔｒより高くないと判断される場合、ウール繊維を洗濯するのに適した条件を満足していると認識し、これによって、制御部６３は、ドラム３０を回転して、ドラム３０の内部に収容された洗濯物の重さを感知し（１０７）、感知された洗濯物の重さによって所定量の洗濯水を給水し（１０９）、洗濯モーター４０を駆動してウール繊維を洗濯する（１１１）。
【００５４】
一方、ドラム３０の内部温度が設定温度Ｔｒより高いと判断される場合、制御部６３は、乾燥ヒーター５２をオフにした状態で、ファンモーター５１ａを駆動して送風ファン５１を稼動し、この送風ファン５１から形成された気流は、ヒーティングダクト５３及びドラム２０を通過して凝縮流路５４内に循環する。このとき、制御部６３が第２給水バルブ１７を制御することで、冷水は、連結管５５を通過して冷却水噴射装置５６を通して凝縮流路５４に噴射される。これによって、循環気流は、冷水との熱交換により冷たくなって冷風に変わり、この冷風によって、ドラム３０の内部温度が迅速に冷却される（１０８）。上記の冷却動作を行う間、カウンター６３-１は、冷却時間を測定する（１１０）。
【００５５】
次いで、制御部６３は、第２給水バルブ１７を通して水槽２０内に冷水を最小水位だけ給水する（１１２）。その後、制御部６３は、第１温度センサ２３を通して洗濯水の温度を感知し（１１４）、ドラム３０の内部温度と洗濯水の温度との差を計算し（１１６）、その温度差が設定温度Ｔｄ以下であるかどうかを判断する（１１８）。その結果、これら温度の差が設定温度Ｔｄ以下であると判断される場合、段階１０７、１０９及び１１１によってウール繊維を洗濯する。
【００５６】
一方、各温度の差が設定温度Ｔｄ以下でないと判断される場合、制御部６３は、測定した冷却時間が設定時間ｔａを超えたかどうかを判断し（１２０）、その結果、測定した冷却時間が設定時間ｔａを超えていないと判断される場合、冷却動作を持続するために段階１０８へと進行する。
【００５７】
そして、測定した冷却時間が設定時間ｔａを超えたと判断される場合、制御部６３は、第２給水バルブ１７を通して水槽２０内に予備洗濯水としての冷水をヒーター安全水位だけ給水する（１２２）。その後、制御部６３は、加熱ヒーター２２を用いて洗濯水を加熱し（１２４）、第１温度センサ２３を通して洗濯水の温度を感知し（１２６）、ドラムの内部温度と洗濯水の温度との差を計算し（１２８）、これら温度の差が設定温度Ｔｄ以下であるかどうかを判断する（１３０）。その結果、各温度の差が設定温度Ｔｄ以下でないと判断される場合、洗濯水を加熱するために段階１２４へと進行する。
【００５８】
一方、各温度の差が設定温度Ｔｄ以下であると判断される場合、段階１０７、１０９及び１１１によってウール繊維を洗濯する。
【図面の簡単な説明】
【００５９】
【図１】既存のウールコースにおける洗濯物の洗濯方法を示したフローチャートである。
【図２】本発明に係る洗濯機を示した断面図である。
【図３】本発明に係る洗濯機の水槽を示した斜視図である。
【図４】本発明に係る洗濯機のブロック図である。
【図５】本発明に係る最小水位及びヒーター安全水位を示すための水槽の断面図である。
【図６】本発明に係るウール繊維の洗濯方法を示したフローチャートである。
【符号の説明】
【００６０】
１０  本体
１１  ドア
１３  洗剤供給装置
１４  排水ポンプモーター
１５  排水管
１６，１７  第１及び第２給水バルブ
２０  水槽
２１  後面板
２２  加熱ヒーター
２３  第１温度センサ
３０  ドラム
４０  駆動モーター
４１  回転軸
５０  乾燥装置
５５  連結管
５６  冷却水噴射装置
【図１】
2007195943.tif 000003
【図２】
2007195943.tif 000004
【図３】
2007195943.tif 000005
【図４】
2007195943.tif 000006
【図５】
2007195943.tif 000007
【図６】
2007195943.tif 000008